(57)【要約】【課題】本発明の課題は、外部からインキ残量が視認し易く、且つ筆記時に滑り難いキャップ式筆記具を簡単な構造で提供することである。【解決手段】本発明は、前記課題を解決するために、先端部に口先部材を装着した透明又は半透明の軸筒に、キャップを着脱自在に装着してなるキャップ式筆記具であって、前記軸筒の外壁が、後端部から先端部に向かって、除々に拡径する段部のない傾斜状に形成するとともに、前記軸筒の先端に環状凸部を形成し、該軸筒の環状凸部とキャップの内壁とを着脱自在に装着してあることを特徴とするものである。【選択図】      図１
2009056678.tif 000002
【特許請求の範囲】
【請求項１】
先端部に口先部材を装着した透明又は半透明の軸筒に、キャップを着脱自在に装着してなるキャップ式筆記具であって、前記軸筒の外壁が、後端部から先端部に向かって、除々に拡径する段部のない傾斜状に形成するとともに、前記軸筒の先端に環状凸部を形成し、該軸筒の環状凸部とキャップの内壁とを着脱自在に装着してあることを特徴とするキャップ式筆記具
【請求項２】
前記軸筒内に、筆記具用インキを直詰めしたインキ収容筒の先端に、ボールを回転自在に抱持したボールペンチップを、チップホルダーを介して装着したボールペンレフィルを配設するとともに、前記環状凸部がチップホルダーの後端面よりも軸筒先端側に位置することを特徴とする請求項１に記載のキャップ式筆記具
【請求項３】
前記軸筒の後端側へキャップを装着した、後ろ差しの状態で、キャップ式筆記具の全長の略中間に重心が位置することを特徴とする請求項１または２に記載のキャップ式筆記具
【発明の詳細な説明】
【技術分野】
【０００１】
本発明は、先端部に口先部材を装着した透明又は半透明の軸筒に、キャップを着脱自在に装着してなるキャップ式筆記具に関する。
【背景技術】
【０００２】
従来から、先端部に口先部材を装着した透明又は半透明の軸筒に、キャップを着脱自在に装着してなるキャップ式筆記具はよく知られている。こうしたキャップ式筆記具は、特開２００２−３０７８８８号公報「筆記具」に開示のように、軸筒の把持部に、グリップ部材を装着、或いは実開平５−６５５８４号公報「筆記具」に開示のように、把持部に凹凸形状を形成することで、筆記時の指の滑りを防止する滑り止め部を設けていた。
【０００３】
ところで、従来のキャップ式筆記具において、特開平９−５８１７３号公報「金属光沢色水性インキ内蔵ボールペン」のように、把持部に滑り止め部を形成しない形状の軸筒とすることで、軸筒内に配設したボールペンレフィル等のインキ残量を外部から視認できるが、筆記時において、指が滑りやすく筆記し難いという問題があるため、特開平１１−１３９０７０号公報「筆記具の軸」のように、グリップ部材に部分的な窓部を設けることによりインキ残量を確認していた。
【特許文献１】「特開２００２−３０７８８８号公報」
【特許文献２】「実開平５−６５５８４号公報」
【特許文献３】「特開平９−５８１７３号公報」
【特許文献４】「特開平１１−１３９０７０号公報」
【発明の開示】
【発明が解決しようとする課題】
【０００４】
しかしながら、特許文献２のように把持部に凹凸を有すると、軸筒内部の筆記体のインキ残量を視認することはできるが、光の屈折等によって見え難いという問題がった。また、特許文献４のように、滑り止め部に部分的な窓部を設けても外部からインキ残量を視認し難いという問題があった。
【０００５】
本発明の目的は、外部からインキ残量が視認し易く、且つ筆記時に滑り難いキャップ式筆記具を簡単な構造で提供することにある。
【課題を解決するための手段】
【０００６】
本発明は前記目的を達成するために、先端部に口先部材を装着した透明又は半透明の軸筒に、キャップを着脱自在に装着してなるキャップ式筆記具であって、前記軸筒の外壁が、後端部から先端部に向かって、除々に拡径する段部のない傾斜状に形成するとともに、前記軸筒の先端に環状凸部を形成し、該軸筒の環状凸部とキャップの内壁とを着脱自在に装着してあることを特徴とする。
【０００７】
また、軸筒内に、筆記具用インキを直詰めしたインキ収容筒の先端に、ボールを回転自在に抱持したボールペンチップを、チップホルダーを介して装着したボールペンレフィルを配設するとともに、前記環状凸部がチップホルダーの後端面よりも軸筒先端側に位置することを特徴とする。
【０００８】
さらにまた、前記軸筒の後端側へキャップを装着した、後ろ差しの状態で、キャップ式筆記具の全長の略中間に重心が位置することを特徴とする。
【発明の効果】
【０００９】
本発明の筆記具は前述したような構造なので、外部からインキ残量が視認し易く、且つ筆記時に滑り難いキャップ式筆記具を簡単な構造で提供することができた。
【発明を実施するための最良の形態】
【００１０】
本発明の実施例を、図面を用いて説明する。同じ部材、同じ箇所を示すものは同じ符号を付す。
【００１１】
実施例１
図１から図４に示す実施例１のキャップ式筆記具１は、軸筒２内に、筆記具用インキ１２及びインキ追従体１３を直詰めしたインキ収容筒５の先端に、ボールを回転自在に抱持したボールペンチップ７を、不透明のチップホルダー６を介して装着したボールペンレフィルを配設し、軸筒２の先端部に透明の口先部材３を螺着し、軸筒２の外壁に形成した嵌合凸部２ａと、透明のキャップ８の内壁に形成した嵌合突部の乗り越し嵌合によって、キャップ８を着脱自在に装着してなる、キャップ式ボールペンである。
【００１２】
また、キャップ８の外壁には、クリップ部材１０を一体に成形し、内部にボールペンチップ７を密閉するシール部材１１をリブによって圧入保持してある。また、キャップ８の先端部には頭冠９を装着し、この頭冠９には、キャップ８のリブを通じて内外を連通する貫通孔９ａを形成してある。
【００１３】
軸筒２は、その外壁が、後端の外径Ｎ側から中間部の外径Ｍ、さらに先端部の外径Ｌに向かって除々に拡径（Ｌ＞Ｍ＞Ｎ）する段部のない傾斜状に形成するとともに、先端に環状凸部２ａを形成してあり、この環状凸部２ａとキャップ８内の突部の乗り越し嵌合により装着してある。
【００１４】
このように、軸筒２の外壁を、後端の外径Ｎ側から中間部の外径Ｍ、さらに先端部の外径Ｌに向かって除々に拡径（Ｌ＞Ｍ＞Ｎ）する段部のない傾斜状に形成することで、筆記時（ペン先を下向き）において、先端側が拡径しているため、滑り止め効果を奏するとともに、先端に形成した環状凸部２ａによって滑り止め効果をより向上することができる。
【００１５】
また、軸筒２の外壁を、後端の外径Ｎ側から中間部の外径Ｍ、さらに先端側の外径Ｌに向かって除々に拡径（Ｌ＞Ｍ＞Ｎ）する段部のない傾斜状に形成することで、軸筒２にキャップ８を装着するときに、軸筒２のどの位置を掴んでも先端側への滑りを防止するため、キャップ８の装着が容易になるとともに、軸筒２の後端側の外径Ｎが小さいため、軸筒２の後端側へのキャップ８の装着する後ろ差しも容易になる。
【００１６】
また、軸筒２の把持部に、グリップ部材や凹凸部を形成しないことによって、光の屈折などの影響を受けないため、軸筒２内部に配設したボールペンレフィルにおけるインキ収容筒５内のインキ残量の視認性が非常に高い。
【００１７】
更にまた、インキ残量を最後まで確認するには、チップホルダー６及び口先部材３を透明とすることが最も好ましいが、ボールペンチップ７との嵌合や強度等を考慮して、不透明のチップホルダー６を使用することや金属製の口先部材３を使用することを考慮して、チップホルダー６の後端面６ａが、環状凸部２ａよりも軸筒後端側に位置するようにすることで、環状凸部２ａに邪魔されることなく、チップホルダー６までのインキ残量を視認できるため好ましい。
【００１８】
尚、本実施例では便宜上、透明な軸筒を用いているが、本発明における軸筒は、透明又は半透明であれば特に限定されないが、軸筒内部のインキ残量を視認し易くするために透明な軸筒とすることが好ましい。そのため、透明性の高い、ＰＣ樹脂、アクリル樹脂、ＡＳ樹脂等の硬質樹脂材料で形成することが好ましい。
【００１９】
また、キャップと軸筒との着脱方法は、実施例のような乗り越し嵌合に限定されるものではなく、キャップの内壁に、軸筒の環状凸部を圧入する圧入嵌合等、着脱自在に装着してあればよいが、着脱を繰り返すことによる嵌合力の低下を考慮すると、乗り越し嵌合とすることが最も好ましい。
【００２０】
更にまた、軸筒２の外壁を、後端の外径Ｎ側から中間部の外径Ｍ、さらに先端部の外径Ｌに向かって除々に拡径（Ｌ＞Ｍ＞Ｎ）する段部のない傾斜状に形成するときの、先端側の外径Ｌと後端側の外径Ｎとの径差は、特に限定されるものではないが、０．１ｍｍ〜５ｍｍ、好ましくは０．３ｍｍ以上である。また、図４のように、軸筒２後端側へのキャップ８の装着する後ろ差しにして筆記する時に、キャップ式筆記具の全長の略中間に重心が位置すると、バランスが良好となり好ましい。本発明は、後端側から先端側に向かって除々に拡径することで、軸筒２の先端側に比べ、後端側の重量が軽くなるため、軸筒２後端側にキャップ８の重量が加わっても、重心を筆記具の全長の略中間に位置させやすい効果を奏する。
【産業上の利用可能性】
【００２１】
本発明のキャップ式筆記具は、キャップを着脱自在に装着した筆記具であれば、ボールペンやマーカーなど、インキの種類やペン先形状等、筆記体等に限定されることなく実施することができる。
【００２２】
また、軸筒内部に配設した筆記体を外部から視認し易いため、顔料系のインキを用いた筆記体を使用することで、インキ残量のみならず、インキ色を確認し易いので、インキ使用者の興味を引くことができる。
【図面の簡単な説明】
【００２３】
【図１】実施例１の筆記具のキャップを示す縦断面図である。
【図２】図１におけるキャップを省略した縦断面図である。
【図３】図１における一部省略した要部拡大断面図である。
【図４】図１におけるキャップを後ろ差しした状態を示す縦断面図である。
【符号の説明】
【００２４】
１  キャップ式筆記具
２  軸筒
２ａ  環状凸部
３  口先部材
４  尾栓
５  インキ収容筒
６  チップホルダー
６ａ  後端面
７  ボールペンチップ
８  キャップ
９  頭冠
１０  クリップ
１１  シール部材
１２  筆記具用インキ
１３  インキ追従体
【図１】
2009056678.tif 000003
【図２】
2009056678.tif 000004
【図３】
2009056678.tif 000005
【図４】
2009056678.tif 000006